(57)【要約】【課題】適切なシェーディング補正を行い、白基準板が原稿搬送における妨害物とならず、フレアなどの余分な光の入射が起きず、そして原稿浮きの無い原稿読み取り装置を提供することにある。【解決手段】イメージセンサ１を使用する原稿読み取り装置において、原稿６がイメージセンサ１上を通過する時に支点５を中心に回転する回転体４をシェーディング補正用の白基準とし、この回転体４に複数の段差４ｄ、４ｅと複数の白基準面４ａ〜４ｃを設け、前記白基準面４ａ〜４ｃをプレスキャンで読み取り、この読み取った値を基準出力として記憶する基準出力記憶部１０を有し、そして前記基準出力を原稿６スキャン時の出力と比較する出力比較部１１を有する。【選択図】　　　図６
2004140534.tif 000002
【特許請求の範囲】
【請求項１】
イメージセンサを使用する原稿読み取り装置において、原稿がイメージセンサ上を通過する時に支点を中心に回転する回転体をシェーディング補正用の白基準とし、この回転体に複数の段差と複数の白基準面を設け、前記白基準面をプレスキャンで読み取り、この読み取った値を基準出力として記憶する基準出力記憶部を有し、かつ前記基準出力を原稿スキャン時の出力と比較する出力比較部を有することを特徴とする原稿読み取り装置。
【請求項２】
前記回転体の前記複数の段差箇所にマスキングを有することを特徴とする請求項１記載の原稿読み取り装置。
【請求項３】
イメージセンサが密着型イメージセンサであることを特徴とする請求項１記載の原稿読み取り装置。
【発明の詳細な説明】
【０００１】
【発明の属する技術分野】
本発明は、イメージセンサを有するファクシミリ、複写機、イメージリーダ等においてイメージセンサでのシェーディング補正を行うための白基準機構を有する画像読み取り装置に関する。
【０００２】
【従来の技術】
特開平１０−３２２５５６号公報、特開平１１−２１５３２９号公報、特開平１１−２８９４５５号公報、特開２０００−１１５５４６公報、特開２０００−２６１６２７公報で開示されているのは、ブックタイプの原稿読み取り装置に対応する技術であり、シートスルータイプの原稿には対応できない。
また、特開平６−１４１６０号公報、特開２０００−２０１２６０公報、特開平１０−１８６５３５号公報に記載の技術は、原稿浮きを無くすために原稿を押さえ付けるだけの機構であり、目的が異なる。
特開平１１−１５５０７２号公報に記載の技術では、焦点深度の浅いＣＩＳには対応できない。
【特許文献１】特開平６−１４１６０号公報
【特許文献２】特開２０００−２０１２６０公報
【特許文献３】特開平１０−１８６５３５号公報
【特許文献４】特開平１１−１５５０７２号公報
【０００３】
【発明が解決しようとする課題】
シートスルータイプ方式の原稿読み取り装置では、原稿浮きが発生するため、シェーディング補正用の白基準出力と実際の原稿白出力に差が生じ、適切な補正ができない場合がある。
また、原稿がイメージセンサ上を通過する位置も、原稿の挿入角度や原稿のバタツキなどがあり、完全には一定位置を通過させることができないこと、イメージセンサ出力にもバラツキがあることなどから適切なシェーディング補正をすることが困難である。
そこで、本発明の目的は、適切なシェーディング補正を行い、白基準板が原稿搬送における妨害物とならず、フレアなどの余分な光の入射が起きず、そして原稿浮きの無い原稿読み取り装置を提供することにある。
【０００４】
【課題を解決するための手段】
前記の課題を解決するために、請求項１記載の発明では、イメージセンサを使用する原稿読み取り装置において、原稿がイメージセンサ上を通過する時に支点を中心に回転する回転体をシェーディング補正用の白基準とし、この回転体に複数の段差と複数の白基準面を設け、前記白基準面をプレスキャンで読み取り、この読み取った値を基準出力として記憶する基準出力記憶部を有し、かつ前記基準出力を原稿スキャン時の出力と比較する出力比較部を有する原稿読み取り装置を最も主要な特徴とする。
請求項２記載の発明では、前記回転体の前記複数の段差箇所にマスキングを有する請求項１記載の原稿読み取り装置を主要な特徴とする。
請求項３記載の発明では、イメージセンサが密着型イメージセンサである請求項１記載の原稿読み取り装置を主要な特徴とする。
【０００５】
【発明の実施の形態】
以下、図面により本発明の実施の形態を詳細に説明する。図１は本発明による画像読み取り装置の基本構成を示す概略図である。図２は図１のイメージセンサと回転体を示す概略斜視図である。
イメージセンサ（ＣＩＳ）１は、読取り光学系、その他の部品を備えた筐体２、および筐体２の上面に配置されたコンタクトガラス３を含んでいる。コンタクトガラス３上にはシェーディング補正用の白基準となる白基準板である回転体４が図示しない支持部材によって支持された中心支点５を中心として回動自在に設けてある。
回転体４は中心支点５を中心にコンタクトガラス３面上で回転する。原稿６を走査する前にシェーディング補正用の白データを取るために、回転体４の白色基準面はコンタクトガラス３面上に近接した位置にある。原稿６の通過と共に（通過中に）、回転体４は、原稿６の搬送の妨害とならないように回転し、コンタクトガラス３上面との間に原稿搬送通路となる隙間ができる。符号７は読み取り位置を示している。
図３は本発明の画像読み取り装置に使用する回転体の第１の実施の形態を示す概略外観図である。イメージセンサ１の照明深度ベストポイントに応じて、図３の回転体４の基準面４ａ、基準面４ｂ、基準面４ｃが、回転体４の回転により原稿６の走査前にシェーディング補正用の白データを取る位置に来る。
イメージセンサ１の照明深度ベストポイントは、各基準面４ａ、４ｂ、４ｃを読み取ったデータからシステムで自動的に判断することも可能である。回転体４は複数の段差４ｄ、４ｅを形成することにより、４ａ〜４ｃの白基準面を構成する。
図１において回転体４が組み合わさった扇形１枚形状になっているのは、一つの実施例である。図４は本発明の画像読み取り装置に使用する回転体の第２の実施の形態を示す概略外観図である。
一つの回転体４を、図４のように、対称の位置関係で組み合わさった扇形２枚から構成し、このような形状を有した複数の回転体４を同一回転中心５を支点として所要角度ずつずらした構成とすることで、白基準を原稿搬送スピードに合わせて対応させるようにしている。これによれば、焦点深度方向の白基準面の数を増やすことができる。また、扇形を同形状とすることで、白基準面のスキャン数を多くし、白基準面のスキャン精度を向上することもできる。
【０００６】
図５は本発明の画像読み取り装置に使用する回転体の第３の実施の形態を示す概略外観図である。回転体４の複数の段差箇所４ｄ、４ｅ（図３参照）にマスキング８を設けている。このマスキング８は、一つには黒色である。このマスキング８により、例えば、基準面４ｂをシェーディング補正用の白基準とし、イメージセンサ１が読み取る場合に、基準面４ａや基準面４ｃに当たる反射光によるフレアの影響を無くす。
図１、図２、図４のように、密着型イメージセンサの場合には、原稿がイメージセンサ１上を通過する時に支点５を中心に回転する回転体４をシェーディング補正用の白基準板とし、この回転体４が複数の段差４ｄ、４ｅと複数の白基準面４ａ、４ｂ、４ｃを有する白基準構成により、原稿搬送通路を確保すると共に、原稿浮きを無くすよう押さえる。
例えば、回転体４は、原稿６が通過（走査位置を通過する）時には、原稿６がコンタクトガラス３面から浮かないように一回転して原稿６上まで戻ってきて原稿を押さえるような状態にすることもできる。
図６は本発明による画像読み取り装置の基本回路構成を示す概略ブロック図である。図において、データバス１８を介してモータ制御部１４、信号制御部１５、出力補正／正規化部１２、ＣＰＵ１６、およびＲＡＭ１７が接続されている。モータ制御部１４に接続されたモータ１３は出力基準の回転体４を駆動する。信号制御部１５からの制御信号によってイメージセンサ１を駆動する。出力基準の回転体４が回転することによってスキャンされ、得られたシェーディング補正用の白出力は基準出力記憶部１０に格納される。
実際の原稿がスキャンされて読み取られた白出力に対して、どのシェーディング補正用の基準出力を使用するかは出力比較部１１で判断される。その結果から、出力補正／正規化部１２で画像処理が行われる。
【０００７】
図７は本発明の画像読み取り装置の基本動作を表すフローチャートである。図１、図５および図７において、原稿がイメージセンサ１上を通過する時に支点５を中心に出力基準の回転体４をモータ１３によって駆動・回転し（Ｓ１）、回転体４をシェーディング補正用の白基準とし、この回転体４が複数の段差４ｄ、４ｅと複数の白基準面４ａ〜４ｃを有している。
その白基準面４ａ〜４ｃをプレスキャンで読み取り、基準出力データを基準出力記憶部１０に格納する（Ｓ２）。次に、原稿をスキャン（Ｓ３）し、その出力を出力比較部１１で基準出力と比較する（Ｓ４）。
次に、基準出力記憶部１０から一番相似した基準出力を選択し（Ｓ５）、出力補正／正規化部１２で出力補正および正規化を実施する（Ｓ６）。これによって適切な画像補正が行われる。
要するに、イメージセンサ出力のバラツキと原稿浮きによる出力の変化に応じて適切なシェーディング補正を行うために、白基準に複数の段差と白基準面を設けて回転させることにより、シェーディング補正用の基準出力を焦点深度方向に複数記憶し、実際の原稿出力との差を比較させ、その結果から適切なシェーディング補正用の基準出力を選択するようにする。
また、ガラス面に当接した白基準を設けた場合でも、白基準を回転体とすることで、その白基準が原稿搬送における妨害物とならないようにする。
回転体の複数の白基準面が近接しているため、フレアなどの余分な光の入射が起きないようにする。
とくに密着型イメージセンサは、ほとんど焦点深度が浅く、またベストポイントがガラス面に当接しているため、原稿浮きの影響は大きい。そのため、適切なシェーディング補正用基準出力を原稿通過位置に合わせて選択するようにすると共に、原稿浮きを押さえる。
本発明は、原稿読み取り装置に使われているイメージセンサでのシェーディング補正を行うための白基準機構に関するものであり、とくにシートスルー方式の原稿読み取り装置に関するものである。本発明は、イメージセンサを有するファクシミリ、イメージリーダなどの情報処理装置にも応用できる。
【０００８】
【発明の効果】
以上説明したように、請求項１によれば、原稿浮きの状況に応じて、シェーディング補正用の白基準データを選択することができるため、適切な画像補正が行える。また、原稿搬送のパス（隙間）を確保し、厚紙原稿でも対応することができる。
請求項２によれば、各白基準面のフレアの影響を無くすことができる。
請求項３によれば、とくに原稿を密着させて読み取る必要がある場合でも原稿浮きの状況に応じて、シェーディング補正用の白基準データを選択することができるため、適切な画像補正が行える。
【図面の簡単な説明】
【図１】本発明による画像読み取り装置の基本構成を示す概略図である。
【図２】図１のイメージセンサと回転体を示す概略斜視図である。
【図３】本発明の画像読み取り装置に使用する回転体の第１の実施の形態を示す概略外観図である。
【図４】本発明の画像読み取り装置に使用する回転体の第２の実施の形態を示す概略外観図である。
【図５】本発明の画像読み取り装置に使用する回転体の第３の実施の形態を示す概略外観図である。
【図６】本発明による画像読み取り装置の基本回路構成を示す概略ブロック図である。
【図７】本発明の画像読み取り装置の基本動作を表すフローチャートである。
【符号の説明】
１　　イメージセンサ
４　　回転体
４ａ　基準面
４ｂ　基準面
４ｃ　基準面
４ｄ　段差
４ｅ　段差
５　　支点
６　　原稿
８　　マスキング
１０　　基準出力記憶部
１１　　出力比較部
【図１】
2004140534.tif 000003
【図２】
2004140534.tif 000004
【図３】
2004140534.tif 000005
【図４】
2004140534.tif 000006
【図５】
2004140534.tif 000007
【図６】
2004140534.tif 000008
【図７】
2004140534.tif 000009